(57)【要約】    【課題】  高ズーム比で全ズーム範囲にわたり高い光学性能が容易に得られるズームレンズを得ること。    【解決手段】  物体側から像側へ順に、正の屈折力の第１レンズ群、負の屈折力の第２レンズ群、開口絞り、複数のレンズ群を含む後群を有し、ズーミングに際して隣り合うレンズ群の間隔が変化するズームレンズであって、  ズーミングに際して第１レンズ群は不動であり、第１レンズ群は、物体側から像側へ順に、フォーカシングに際して不動の負の屈折力の第１部分群、フォーカシングに際して移動する正の屈折力の第２部分群を有し、  後群は、広角端に比べて望遠端において結像倍率が大きくなるように光軸方向に移動するレンズ群を有すること。【選択図】    図１
2015075523.tif 000002
【特許請求の範囲】
【請求項１】
物体側から像側へ順に、正の屈折力の第１レンズ群、負の屈折力の第２レンズ群、開口絞り、複数のレンズ群を含む後群を有し、ズーミングに際して隣り合うレンズ群の間隔が変化するズームレンズであって、
ズーミングに際して前記第１レンズ群は不動であり、前記第１レンズ群は、物体側から像側へ順に、フォーカシングに際して不動の負の屈折力の第１部分群、フォーカシングに際して移動する正の屈折力の第２部分群を有し、
前記後群は、広角端に比べて望遠端において結像倍率が大きくなるように光軸方向に移動するレンズ群を有することを特徴とするズームレンズ。
【請求項２】
広角端から望遠端へのズーミングに際して、前記開口絞りは物体側へ移動することを特徴とする請求項１に記載のズームレンズ。
【請求項３】
広角端から望遠端へのズーミングに際して、前記開口絞りは物体側に凸状の軌跡で移動し、前記開口絞りと該開口絞りの像側に隣り合う位置に配置されるレンズ群Ｌｓは同じ軌跡で移動し、前記後群の変倍比をＺｒ、広角端から前記レンズ群Ｌｓが最も物体側に位置するときのズーム位置までのズーミングにおける前記レンズ群Ｌｓの移動量をｍｓ、前記レンズ群Ｌｓの像側に配置されたレンズ群の移動量をｍｒとするとき、
１．０７＜Ｚｒ＜１．７０
０．２＜ｍｒ／ｍｓ＜１．２
なる条件を満足することを特徴とする請求項１に記載のズームレンズ。
【請求項４】
前記後群は、広角端に比べて望遠端において結像倍率が小さくなるように光軸方向に移動するレンズ群を含むことを特徴とする請求項１乃至３のいずれか１項に記載のズームレンズ。
【請求項５】
前記第１レンズ群において、前記第２部分群の像側に、フォーカシングに際して不動の正の屈折力の第３部分群を有することを特徴とする請求項１乃至４のいずれか１項に記載のズームレンズ。
【請求項６】
前記第２部分群は、物体側から像側へ順に、正レンズ、正レンズ、負レンズからなり、前記第２部分群の焦点距離をｆ１ｂ、前記第１レンズ群の焦点距離をｆ１とするとき、
１＜ｆ１ｂ／ｆ１＜５
なる条件式を満足することを特徴とする請求項１乃至５のいずれか１項に記載のズームレンズ。
【請求項７】
前記後群を構成する全てのレンズ群は正の屈折力を有することを特徴とする請求項１乃至６のいずれか１項に記載のズームレンズ。
【請求項８】
前記後群に含まれる全てのレンズ群はズーミングに際して移動することを特徴とする請求項１乃至７のいずれか１項に記載のズームレンズ。
【請求項９】
前記開口絞りから前記後群の前側主平面位置までの光軸上の距離を０ｒ１、後群の焦点距離をｆｒとするとき、全ズーム範囲において、
０．８＜０ｒ１／ｆｒ＜１．８
なる条件式を満足することを特徴とする請求項１乃至８のいずれか１項に記載のズームレンズ。
【請求項１０】
前記後群は、物体側から像側へ順に、正の屈折力の第３レンズ群、正の屈折力の第４レンズ群、正の屈折力の第５レンズ群より構成され、ズーミングに際して前記第３レンズ群、前記第４レンズ群、前記第５レンズ群が移動することを特徴とする請求項１乃至９のいずれか１項に記載のズームレンズ。
【請求項１１】
前記第２レンズ群の像側に正の屈折力の第３レンズ群を有し、前記後群は、物体側から像側へ順に、正の屈折力の第４レンズ群、正の屈折力の第５レンズ群より構成され、ズーミングに際して前記第３レンズ群、前記第４レンズ群、前記第５レンズ群が移動することを特徴とする請求項１乃至９のいずれか１項に記載のズームレンズ。
【請求項１２】
請求項１乃至１１のいずれか１項に記載のズームレンズと、該ズームレンズによって形成された像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、ハイビジョン放送やＨＤ規格で動画を撮影できるビデオカメラや放送用テレビカメラ等の撮像装置からの出力映像は高画質化されている。これらの撮像装置に使用されるズームレンズは、例えばスーパーハイビジョン（８Ｋ×４Ｋ）規格に対応した高い光学性能（解像力）を有することが要望されている。更にフォーカシングによって横倍率が変化しないこと等も要望されている。従来、放送用テレビカメラに用いられているズームレンズとして、最も物体側に正の屈折力のレンズ群が配置されたポジティブリード型のズームレンズが知られている（特許文献１，２）。
【０００３】
特許文献１は物体側から像側へ順に、正の屈折力の第１レンズ群，負の屈折力の第２レンズ群，第３レンズ群，正の屈折力の第４レンズ群より構成され、第３レンズ群と第４レンズ群との間に開口絞りを配置している。そしてズーミングに際して第２，第３レンズ群を移動させたズームレンズを開示している。特許文献１では、第１レンズ群を物体側から像側へ順に負の屈折力の第１部分群、正の屈折力の第２部分群、正の屈折力の第３部分群より構成し、第２部分群を移動させてフォーカシングを行っている。フォーカシングによって生ずる横倍率（撮影倍率）の変化を軽減している。
【０００４】
特許文献２では物体側から像側へ順に、正、負、正、負、正の屈折力の第１乃至第５レンズ群より構成され、第２レンズ群と第３レンズ群の間に開口絞りを配置している。そして開口絞りより物体側の第２レンズ群と開口絞りより像側の第４レンズ群を移動させてズーミングを行っている。また第４レンズ群を移動させてフォーカシングを行っている。特許文献２では第１レンズ群を物体側から像側へ順に負の屈折力の第１部分群、正の屈折力の第２部分群より構成し、広角端において歪曲収差を良好に補正したズームレンズを開示している。
【先行技術文献】
【特許文献】
【０００５】
【特許文献１】特開２００１−１１６９９３号公報
【特許文献２】特開２０００−１０５３３６号公報
【発明の概要】
【発明が解決しようとする課題】
【０００６】
近年、ＴＶカメラやビデオカメラ等の撮像装置に用いられるズームレンズには、全ズーム範囲にわたり高画質が得られることが要望されている。全ズーム範囲にわたり高い光学性能を得るには、全ズーム範囲にわたり諸収差が良好に補正されていること、特にズーミングに際して像面湾曲の変動が良好に補正されていることが重要になってくる。
【０００７】
またＴＶカメラ等ではフォーカシングに際して横倍率の変化が少ないことが重要になってくる。全ズーム範囲にわたり高い光学性能を有し、しかもフォーカシングに際して横倍率の変化が少ないズームレンズを得るには、ズーミングに際して移動させるレンズ群や、フォーカシングに際して移動させるレンズ部等を適切に構成することが重要になってくる。このときの構成が不適切であると、全ズーム範囲にわたり高い光学性能を有するズームレンズを得るのが難しくなってくる。
【０００８】
例えば、ズーミングに際して３つ以上のレンズ群を移動させると、高ズーム比化が容易となり、またズーミングに伴う収差変動、特に像面湾曲の変動を少なくして、全ズーム範囲にわたり高い光学性能を得るのが容易となる。しかしながらズーミングに際して移動させるレンズ群を特定することは、収差補正上大変重要である。例えば開口絞りに対して物体側と像側の、どのレンズ群を移動させるか、更にズーミングに際して移動させるレンズ群の変倍作用等を適切に設定することが重要になってくる。
【０００９】
またズーミングにおける主変倍レンズ群から生ずる収差変動をどのレンズ群で補正するかを適切に設定することも重要になってくる。これらの構成を適切に構成しないと、高ズーム比化を図りつつ全ズーム範囲にわたり高い光学性能を得るのが困難になってくる。
【００１０】
本発明は、高ズーム比で全ズーム範囲にわたり高い光学性能が容易に得られるズームレンズ及びそれを有する撮像装置の提供を目的とする。
【課題を解決するための手段】
【００１１】
本発明のズームレンズは、物体側から像側へ順に、正の屈折力の第１レンズ群、負の屈折力の第２レンズ群、開口絞り、複数のレンズ群を含む後群を有し、ズーミングに際して隣り合うレンズ群の間隔が変化するズームレンズであって、ズーミングに際して前記第１レンズ群は不動であり、前記第１レンズ群は、物体側から像側へ順に、フォーカシングに際して不動の負の屈折力の第１部分群、フォーカシングに際して移動する正の屈折力の第２部分群を有し、前記後群は、広角端に比べて望遠端において結像倍率が大きくなるように光軸方向に移動するレンズ群を有することを特徴としている。
【発明の効果】
【００１２】
本発明によれば、高ズーム比で全ズーム範囲にわたり高い光学性能が容易に得られるズームレンズが得られる。
【図面の簡単な説明】
【００１３】
【図１】本発明の実施例１の広角端におけるレンズ断面図
【図２】（Ａ），（Ｂ）  本発明の実施例１の広角端と望遠端における収差図
【図３】本発明の実施例２の広角端におけるレンズ断面図
【図４】（Ａ），（Ｂ）  本発明の実施例２の広角端と望遠端における収差図
【図５】本発明の実施例３の広角端におけるレンズ断面図
【図６】（Ａ），（Ｂ）  本発明の実施例３の広角端と望遠端における収差図
【図７】本発明の実施例４の広角端におけるレンズ断面図
【図８】（Ａ），（Ｂ）  本発明の実施例４の広角端と望遠端における収差図
【図９】本発明の撮像装置の要部概略図
【発明を実施するための形態】
【００１４】
以下に、本発明のズームレンズ及びそれを有する撮像装置の実施の形態を添付の図面に基づいて説明する。本発明のズームレンズは、物体側から像側へ順に、正の屈折力の第１レンズ群、負の屈折力の第２レンズ群、そして最も像側に複数のレンズ群を含む後群を有している。後群の物体側に開口絞りを有している。ズーミングに際して隣り合うレンズ群の間隔が変化する。
【００１５】
ズーミングに際し、第１レンズ群は不動であり、第２レンズ群と後群の少なくとも２つのレンズ群が移動する。第１レンズ群は物体側から像側へ順に負の屈折力の第１部分群、フォーカス用の正の屈折力の第２部分群、正の屈折力の第３部分群より構成されている。後群は広角端から望遠端へのズーミングに際して移動し結像倍率を増大させる増倍レンズ群と、増倍レンズ群の移動に対応して光軸上を移動する１以上のレンズ群を有する。
【００１６】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。図３は本発明の実施例２のズームレンズの広角端におけるレンズ断面図である。図４（Ａ）、（Ｂ）はそれぞれ実施例２のズームレンズの広角端、望遠端における収差図である。図５は本発明の実施例３のズームレンズの広角端におけるレンズ断面図である。図６（Ａ）、（Ｂ）はそれぞれ実施例３のズームレンズの広角端、望遠端における収差図である。
【００１７】
図７は本発明の実施例４のズームレンズの広角端におけるレンズ断面図である。図８（Ａ）、（Ｂ）はそれぞれ実施例４のズームレンズの広角端、望遠端における収差図である。レンズ断面図、収差図は物体距離が無限遠のときを示す。図９は本発明のズームレンズを備える例としてＴＶカメラ（撮像装置）に適用したときの要部概略図である、各実施例のズームレンズはＴＶカメラ等の撮像装置に用いられる撮影レンズ系である。レンズ断面図において、左方が被写体側（物体側）（前方）で、右方が像側（後方）である。
【００１８】
ｉは物体側から像側への各レンズ群の順序を示し、Ｌｉは第ｉレンズ群である。ＬＲは複数のレンズ群を含む後群である。ＳＰは広角端において軸上最大光束径を決定している開口部（開口絞り）である。ここで「軸上最大光束径を決定している開口部」とは、物体距離が無限遠にあるときの軸上光束（主光線が光軸上を進む光束）において、Ｆナンバーを決定している開口部のことを指す。
【００１９】
図１，図３，図５の実施例１，２，３のレンズ断面図においてＬ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。Ｌ５は正の屈折力の第５レンズ群である。後群ＬＲは正の屈折力の第３レンズ群Ｌ３、正の屈折力の第４レンズ群Ｌ４、正の屈折力の第５レンズ群Ｌ５より構成されている。
【００２０】
第１レンズ群Ｌ１は物体側から像側へ順に、負の屈折力の第１部分群Ｌ１ａと、正の屈折力の第２部分群Ｌ１ｂ、正の屈折力の第３部分群Ｌ１ｃより構成されている。開口絞りＳＰは第２レンズ群Ｌ２と第３レンズ群Ｌ３との間に位置している。即ち後群ＬＲの物体側に配置されている。ＧＢは色分解プリズムや光学フィルター等に相当する光学ブロックである。
【００２１】
ＩＰは像面であり、ＣＣＤセンサやＣＭＯＳセンサ等の撮像素子（光電変換素子）の撮像面が置かれる。ズーミングに際して第１レンズ群Ｌ１は不動である。広角端から望遠端へのズーミングに際して矢印のように、第２レンズ群Ｌ２は像側に移動している。また第３レンズ群Ｌ３と第４レンズ群Ｌ４、第５レンズ群Ｌ５は物体側に凸状の軌跡を描いて互いに独立に（異なった軌跡で）移動している。開口絞りＳＰは第３レンズ群Ｌ３と同じ軌跡で移動している。
【００２２】
図７の実施例４のレンズ断面図においてＬ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。Ｌ５は正の屈折力の第５レンズ群である。後群ＬＲは正の屈折力の第４レンズ群Ｌ４、正の屈折力の第５レンズ群Ｌ５より構成されている。
【００２３】
第１レンズ群Ｌ１は物体側から像側へ順に、負の屈折力の第１部分群Ｌ１ａと、正の屈折力の第２部分群Ｌ１ｂ、正の屈折力の第３部分群Ｌ１ｃより構成されている。開口絞りＳＰは第３レンズ群Ｌ３と第４レンズ群Ｌ４との間に位置している。即ち後群ＬＲの物体側に配置されている。ＧＢは色分解プリズムや光学フィルター等に相当する光学ブロックである。
【００２４】
ＩＰは像面であり、ＣＣＤセンサやＣＭＯＳセンサ等の撮像素子（光電変換素子）の撮像面が置かれる。ズーミングに際して第１レンズ群Ｌ１は不動である。広角端から望遠端へのズーミングに際して矢印のように、第２レンズ群Ｌ２は像側に移動している。また第３レンズ群Ｌ３と第４レンズ群Ｌ４は物体側に凸状の軌跡を描いて互いに独立に（異なった軌跡で）移動している。第５レンズ群Ｌ５は物体側へ移動している。開口絞りＳＰは第４レンズ群Ｌ４と同じ軌跡で移動している。
【００２５】
収差図においてｄ−lineはｄ線、ｇ−lineはｇ線である。ΔＭ、ΔＳはｄ線でのメリディオナル像面、サジタル像面である。倍率色収差はｇ線によって表している。ＦｎｏはＦナンバー、ωは半画角である。尚、以下の各実施例において、広角端と望遠端は変倍用レンズ群が機構上、光軸上を移動可能な範囲の両端に位置したときのズーム位置をいう。
【００２６】
各実施例では正の屈折力の第１レンズ群Ｌ１を最も物体側に配置して、第１レンズ群Ｌ１と隣接配置された負の屈折力の第２レンズ群Ｌ２を主変倍レンズ群として移動して変倍するいわゆるポジティブリードタイプのズームレンズを構成している。これによって高ズーム比化を容易にしている。
【００２７】
また、第１レンズ群Ｌ１を物体側から像側へ順に、負の屈折力の第１部分群Ｌ１ａ、正の屈折力の第２部分群Ｌ１ｂを有するレンズ構成とすることで、第１レンズ群Ｌ１の主平面を像側に配置して、第２レンズ群Ｌ２の屈折力の増大を緩和している。これによって、光線がズーミングに際して第２レンズ群Ｌ２で大きく屈折するのを軽減して収差の発生を少なくしている。そしてズーミングに際して第２レンズ群Ｌ２の移動により発生する、例えば像面彎曲収差などの変動を低減している。
【００２８】
尚、各実施例では、第２部分群Ｌ１ｂの像側に、フォーカシングに際して不動の正の屈折力の第３部分群Ｌ１ｃを有している。ここで部分群とはフォーカシングに際して変化する光軸方向に沿ったレンズ間隔によって分けられる１以上のレンズを含むレンズの集合体をいう。さらに変倍機能を有する第２レンズ群Ｌ２よりも物体側に配置される第１レンズ群Ｌ１を構成する一部の小型，軽量の第２部分群Ｌ１ｂでフォーカシングすることにより無限遠から至近への合焦時の倍率変動を抑えている。
【００２９】
各実施例のズームレンズでは、第２レンズ群Ｌ２の変倍分担を減らして収差敏感度を低くするため、後群ＬＲは補助変倍機能を有する増倍レンズ群（レンズ群）を有する。また光路中にその変倍による近軸像面位置の変動を補正するコンペンセータ機能を持つ像面変動補正レンズ群（レンズ群）を有している。さらには、ズーミングに際しての収差変動を低減するために移動する収差補正レンズ群を併設することで、ズーミングに際しての収差変動を低減している。尚、収差補正レンズ群は広角端から望遠端へのズーミングに際して結像倍率を減じる機能を有している。
【００３０】
また、広角端から望遠端へのズーミングに際して開口絞りＳＰを物体側に移動している。開口絞りＳＰを物体側に移動することで、後群ＬＲに変倍分担を持たせたことによって望遠領域でのＦ値（Ｆナンバー）の落ちを抑制している。以上の構成により全ズーム範囲にわたり高い光学性能の高ズーム比のズームレンズを得ている。各実施例において好ましくは次の条件式のうち１以上を満足するのが良い。
【００３１】
広角端から望遠端へのズーミングに際して、開口絞りＳＰは物体側に凸状の軌跡で移動し、開口絞りＳＰと、該開口絞りＳＰの像側に隣り合う位置に配置されたレンズ群Ｌｓは同じ軌跡で移動する。レンズ群Ｌｓは実施例１、２、３では第３レンズ群Ｌ３、実施例４では第４レンズ群Ｌ４である。そして、広角端からレンズ群Ｌｓが最も物体側に位置するときのズーム位置Ｚｍまでのズーミングにおけるレンズ群Ｌｓの移動量をｍｓ、レンズ群Ｌｓの像側に配置されたレンズ群の移動量をｍｒとする。後群ＬＲの変倍比をＺｒとする。
【００３２】
第２部分群は、物体側から像側へ順に、正レンズ、正レンズ、負レンズからなり、第２部分群の焦点距離をｆ１ｂ、第１レンズ群Ｌ１の焦点距離をｆ１とする。開口絞りＳＰから後群ＬＲの前側主平面位置までの距離を０ｒ１、後群ＬＲの焦点距離をｆｒとする。このとき、次の条件式のうち１以上を満足するのが良い。
【００３３】
１．０７＜Ｚｒ＜１．７０      ・・・（１）
０．２＜ｍｒ／ｍｓ＜１．２    ・・・（２）
１＜ｆ１ｂ／ｆ１＜５          ・・・（３）
０．８＜０ｒ１／ｆｒ＜１．８  ・・・（４）
なお、レンズ群Ｌｓの像側に配置されたレンズ群が複数あるときは、複数のレンズ群のそれぞれが条件式（２）を満足するものとする。また、条件式（４）は、広角端から望遠端までの全ズーム範囲で満足するものとする。次に前述した各条件式の技術的意味について説明する。
【００３４】
条件式（１）は後群ＬＲの変倍比を規定している。条件式（１）の下限値を超えて後群ＬＲの変倍分担が少なすぎると、主変倍レンズ群（第２レンズ群Ｌ２）による変倍に際しての収差変動が増大してくる。このとき全系の小型化を図ると、ペッツバール和が負の方向に増大し全ズーム領域において像面彎曲がオーバー（補正過剰）になってくる。逆に、上限を超えると後群ＬＲの変倍分担が大きすぎて変倍のためのレンズ群の移動量を増やさなければならずズーミングに伴う収差変動が増大し、この補正が困難になる。
【００３５】
条件式（２）は、ズーミングに際しての開口絞りＳＰの像側に隣り合う位置に配置されたレンズ群Ｌｓの光軸方向の移動量と、レンズ群Ｌｓの像側に配置されたレンズ群の移動量との比に関する。
【００３６】
条件式（２）の上下限のどちらを超えても、レンズ群Ｌｓの移動に対して、レンズ群Ｌｓの像側のレンズ群の各個の移動軌跡が乖離してしまう。そうするとズーミングに際して軸外光線の後方レンズ群への通過状態が大きく変化し、ズーミングに際しての収差変動が大きくなってくる。例えば、実施例１では、レンズ群Ｌｓは第３レンズ群Ｌ３であり、広角端の位置を基準として第３レンズ群Ｌ３の移動量が最大となるのは、ズーム中間位置において−１８．６ｍｍ（−符号は物体側への移動を表す）である。
【００３７】
このとき後群ＬＲの後方レンズ群に相当する第４レンズ群Ｌ４と第５レンズ群Ｌ５の最大移動量は、いずれもズーム中間位置においてそれぞれ、−１２．３ｍｍ、−１１．０ｍｍである。これより条件式（２）の値は０．５９〜０．６６範囲をとる。このように、レンズ群Ｌｓの移動軌跡から大きく乖離しないような軌跡としていることで、後群ＬＲに関して主に軸外光線の各レンズ群への通過状態についての変動を減じズーミングに際しての収差変動を低減している。
【００３８】
各実施例において像面変動補正レンズ群は後群ＬＲのうちの増倍レンズ群の移動に対する近軸像面位置の変動を補正するように移動する。また収差補正レンズ群は収差補正機能を有し、広角端から望遠端へのズーミングに際して結像倍率を減じるように移動する。例えば、実施例１では後群ＬＲの第４レンズ群Ｌ４が増倍レンズ群であり、広角端から望遠端へのズーミングに際してズーム全域について横倍率１倍以下で移動して、約１．３ｘと増倍作用を有している。
【００３９】
これに対して第３レンズ群Ｌ３は像面変動補正レンズ群であり、ズーム全域について横倍率１倍以上で、第４レンズ群Ｌ４の移動と同じ方向に駆動することで、近軸像面位置の変動を補正するように駆動している。
【００４０】
また第５レンズ群Ｌ５は、収差補正レンズ群であり、第４レンズ群Ｌ４の移動に略沿って移動する。ズーム中間域〜望遠端までのズーム領域について第４レンズ群Ｌ４と第５レンズ群Ｌ５の間隔を相対的に大きくあけることで、ズーム中間〜望遠端において像面彎曲がオーバーに倒れる変動を防いでいる。ただし、この第５レンズ群Ｌ５の移動によって約０．９４ｘと減倍作用となってしまうが、大きな像面彎曲の補正効果が得られるため、収差補正レンズ群として機能させている。
【００４１】
以上のようなレンズ構成によって、後群ＬＲについて主変倍レンズ群の変倍分担を担うような増倍作用をもつ増倍レンズ群の駆動による諸特性の変動を良好に補正している。また第１レンズ群Ｌ１を構成する部分群である第１部分群Ｌ１ａと第２部分群Ｌ１ｂによって主平面を像側に移動させている。更に第２部分群Ｌ１ｂの像側に、フォーカシングに際して不動の正の屈折力の第３部分群Ｌ１ｃを配置している。
【００４２】
第１部分群Ｌ１ａと第２部分群Ｌ１ｂの構成に加えて、さらに像側に正の屈折力の第３部分群Ｌ１ｃを有することで、第１レンズ群Ｌ１の全体の屈折力を向上することが容易となるため、第２レンズ群Ｌ２以降のレンズ群による変倍比を効果的に確保している。また、第２部分群Ｌ１ｂは、実施例１〜４では物体側から像側へ順に、正レンズ、正レンズ、負レンズからなっている。
【００４３】
条件式（３）は、第１レンズ群Ｌ１の焦点距離に対するフォーカス用の第２部分群Ｌ１ｂの焦点距離の比を規定している。条件式（３）の下限値を超えると、第２部分群Ｌ１ｂの屈折力が強くなりすぎてフォーカシングに際しての収差変動が増大し、この補正が困難になる。逆に上限を超えると、フォーカシングに際しての第２部分群Ｌ１ｂの移動量が増加し、フォーカシングに際しての収差変動が増大してくる。ズームレンズに関して、レンズ群Ｌｓより像側に配置されるレンズ群は、すべて正の屈折力を有している。即ち、後群ＬＲに含まれるレンズ群は全て正の屈折力である。
【００４４】
撮像光学系と撮像面の間には色分離素子などを配置して、色ごとの撮像素子を複数使用して撮像することで、より高画質、高品位な画像を得ている。このような構成の場合、特に射出側の瞳位置に関する条件を考慮したレンズ構成とすることが望ましい。すなわち、瞳位置が遠い光学系であることが望ましい。このため、開口絞りＳＰに対して像側に配置されるレンズ群は、正の屈折力で構成するのが良い。
【００４５】
各実施例において、後群ＬＲに含まれる各レンズ群はズーミングに際して全て移動する。レンズ群Ｌｓが駆動することを考えると、それに合わせて他の後方レンズ群が駆動することにより、瞳位置の変動を抑制することができるため収差変動を低減することが容易となる。また、開口絞りＳＰから後群ＬＲの前側主平面位置までの距離を０ｒ１、後群ＬＲの焦点距離をｆｒとしたとき、全ズーム範囲において条件式（４）を満足している。
【００４６】
条件式（４）は、後群ＬＲの焦点距離に対する後群ＬＲの前側主平面位置との比を規定する。条件式（４）の上下限どちらを超えても、軸外光線の後群ＬＲへの通過状態が大きく変動したり、色分離素子の色分離面への光線の入射角度がズーミングによって大きく変動したりしてしまうため好ましくない。更に好ましくは条件式（１）乃至（４）の数値範囲を次の如く設定するのが良い。
【００４７】
１．０７＜Ｚｒ＜１．５０    ・・・（１ａ）
０．３＜ｍｒ／ｍｓ＜１．０  ・・・（２ａ）
２＜ｆ１ｂ／ｆ１＜４        ・・・（３ａ）
０．９＜０ｒ１／ｆｒ＜１．５・・・（４ａ）
【００４８】
［実施例１］
以下、図１を参照して、本発明の実施例１のズームレンズについて説明する。実施例１のズームレンズは主にＴＶ用（放送機用）途の撮像カメラなどに装着される高ズーム比のズームレンズである。物体側から像側へ順に、正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４、正の屈折力の第５レンズ群Ｌ５で構成されている。後群ＬＲは第３レンズ群Ｌ３乃至第５レンズ群Ｌ５よりなっている。第３レンズ群Ｌ３はレンズ群Ｌｓである。
【００４９】
本実施例では、広角端から望遠端へのズーミングに際し、第１レンズ群Ｌ１は不動として、第２レンズ群Ｌ２乃至第５レンズ群Ｌ５まで全て可動としている。これにより、ズーム比１１．５の高ズーム比を確保しつつ、ズーミングに際しての収差変動を軽減し、高い光学性能を得ている。
【００５０】
また開口絞りＳＰは第３レンズ群Ｌ３と一体（同じ軌跡）で広角端から望遠端へのズーミングに際し、物体側へ凸状の軌跡で移動させている。この開口絞りＳＰの移動によって、物体側からみた開口絞りＳＰの像倍率を大きくしていて、望遠領域におけるＦナンバー（Ｆ値）が暗くなることを防いでいる。
【００５１】
開口絞りＳＰをレンズ群と一体として移動する場合には、大きく増倍しないレンズ群を選択することが望ましい。また第１レンズ群Ｌ１は、物体側より像側へ順に、負の屈折力の第１部分群Ｌ１ａと、正の屈折力の第２部分群Ｌ１ｂ、正の屈折力の第３部分群Ｌ１ｃより構成している。ズーミングに際して不動の第１レンズ群Ｌ１のうちの第２部分群Ｌ１ｂを移動して、撮影距離が変化したときのフォーカスをすることで、無限遠から至近までフォーカスしたときのズーム倍率（横倍率）の変化が少ない構成としている。
【００５２】
後群ＬＲについては、第４レンズ群Ｌ４が広角端から望遠端へのズーミングに際して約１．３ｘと増倍作用を有する。第３レンズ群Ｌ３は、第４レンズ群Ｌ４の移動による近軸像面位置のずれを補正するように移動している。また開口絞りＳＰを含む第３レンズ群Ｌ３の移動に対して、第４レンズ群Ｌ４と第５レンズ群Ｌ５は広角端から望遠端へのズーミングに際して、物体側に凸形状となるように、第３レンズ群Ｌ３と同じような軌跡を描いて移動する。これによって、ズーム中間域の像面彎曲の増加を軽減している。
【００５３】
本実施例において、第３レンズ群Ｌ３について、広角端の位置を基準として第３レンズ群Ｌ３の移動量が最大となるのは、ズーム中間位置において−１８．６mm（−符号は物体側移動を表す）である。および第４レンズ群Ｌ４，第５レンズ群Ｌ５についての最大移動量は、いずれもズーム中間位置においてそれぞれ、−１２．３mm、−１１．０mmである。このときの条件式（２）の値は０．５９〜０．６６範囲をとる。このように、第３レンズ群Ｌ３の移動軌跡から大きく乖離しないような軌跡としていることで、後群ＬＲの移動による収差変動を低減している。
【００５４】
第３レンズ群Ｌ３に対して像側に配置される後方レンズ群の移動に起因して、本実施例では条件式（１）＝１．０８として設計している。第２レンズ群（主変倍レンズ群）Ｌ２の変倍作用を負担している。これによりズーミングに際しての像面彎曲の収差変動を低減している。
【００５５】
［実施例２］
以下、図３を参照して、本発明の実施例２のズームレンズについて説明する。実施例２におけるレンズ群の数や屈折力、そしてズーミングに際して移動するレンズ群等のズームタイプは実施例１と同じである。第１レンズ群Ｌ１の構成も実施例１と同じである。フォーカス用の第２部分群Ｌ１ｂのレンズ構成も実施例１と同じである。後群ＬＲについては、第４レンズ群Ｌ４が広角端から望遠端へのズーミングに際して約７．１ｘと増倍作用をする。後群ＬＲの各レンズ群の光学作用は実施例１と同じである。
【００５６】
本実施例において、第３レンズ群Ｌ３について、広角端の位置を基準として第３レンズ群Ｌ３の移動量が最大となるのは、ズーム中間位置において−４６．４mm（−符号は物体側移動を表す）である。および第４レンズ群Ｌ４、第５レンズ群Ｌ５についての最大移動量は、いずれもズーム中間位置においてそれぞれ、−３７．０mm、−１６．１mmである。このときの条件式（２）の値は０．３５〜０．８０範囲をとる。このように、第３レンズ群Ｌ３の移動軌跡から大きく乖離しないような軌跡としていることで、後群ＬＲの移動による収差変動を低減している。
【００５７】
第３レンズ群Ｌ３に対して像側に配置される後方レンズ群の移動に起因して、本実施例では条件式（１）＝１．４８として設計しており、第２レンズ群（主変倍レンズ群）Ｌ２の変倍作用を負担している。これによりズーミングに際しての像面彎曲の収差変動を低減している。その他の点は、実施例１と同じである。
【００５８】
［実施例３］
以下、図５を参照して、本発明の実施例３のズームレンズにについて説明する。実施例３のズームタイプは実施例１と同じである。第１レンズ群Ｌ１の構成も実施例１と同じである。フォーカス用の第２部分群Ｌ１ｂのレンズ構成も実施例１と同じである。後群ＬＲについては、第４レンズ群Ｌ４が広角端から望遠端へのズーミングに際して約１．５ｘと増倍作用をする。後群ＬＲの各レンズ群の光学作用は実施例１と同じである。
【００５９】
本実施例において、第３レンズ群Ｌ３について、広角端の位置を基準として第３レンズ群Ｌ３の移動量が最大となるのは、ズーム中間位置において−３６．０mm（−符号は物体側移動を表す）である。および第４レンズ群Ｌ４，第５レンズ群Ｌ５についての最大移動量は、いずれもズーム中間位置においてそれぞれ、−２２．３mm、−１１．７mmである。このときの条件式（２）の値は０．３３〜０．６２範囲をとる。このように、第３レンズ群Ｌ３の移動軌跡から大きく乖離しないような軌跡としていることで、後群ＬＲの移動による収差変動を低減している。
【００６０】
第３レンズ群Ｌ３に対して像側に配置される後方レンズ群の移動に起因して、本実施例では条件式（１）＝１．１６として設計しており、第２レンズ群（主変倍群）Ｌ２の変倍作用を負担していることで、ズーミングに際しての像面彎曲の収差変動を低減している。その他の点は、実施例１と同じである。
【００６１】
［実施例４］
以下、図７を参照して、本発明の実施例４のズームレンズについて説明する。実施例４のズームタイプは実施例１と同じである。第１レンズ群Ｌ１の構成も実施例１と同じである。フォーカス用の第２部分群Ｌ１ｂのレンズ構成も実施例１と同じである。
【００６２】
本実施例はズーム比が１１．５といった高倍率の仕様でありながら、収差変動が少ない高い光学性能を有している。開口絞りＳＰは第３レンズ群Ｌ３と第４レンズ群Ｌ４との間に配置している。第４レンズ群Ｌ４はレンズ群Ｌｓである。開口絞りＳＰは第４レンズ群Ｌ４と一体で広角端から望遠端へのズーミングに際し、物体側へ移動している。
【００６３】
尚ズーミングに際して開口絞りＳＰを別体（他のレンズ群と異なった軌跡）で物体側へ駆動してもよい。後群ＬＲについては、第５レンズ群Ｌ５が広角端から望遠端へのズーミングに際して約１１．７ｘと増倍作用を有する。第４レンズ群Ｌ４は、第５レンズ群Ｌ５の移動による近軸像面位置のずれを補正するように移動している。
【００６４】
本実施例において、第４レンズ群Ｌ４について、広角端位置を基準として第４レンズ群Ｌ４の移動量が最大となるのは、ズーム中間位置において−１０．５mm（−符号は物体側移動を表す）である。および第５レンズ群Ｌ５についての最大移動量は、いずれもズーム中間位置において、−４．４mmであって、条件式（２）値は０．４２をとる。このように、第４レンズ群Ｌ４の移動軌跡から大きく乖離しないような軌跡としていることで、後群の移動による収差変動を低減している。
【００６５】
第４レンズ群Ｌ４に対して像側に配置される後方レンズ群の移動に起因して、本実施例では条件式（１）＝１．０８として設計しており、第２レンズ群（主変倍レンズ群）Ｌ２の変倍作用を負担している。これによりズーミングに際しての像面彎曲の収差変動を低減している。その他の点は、実施例１と同じである。また実施例１乃至４のズームレンズは、受光面上に形成された光学像を電気信号に変換する撮像素子を備えた撮像装置に用いるときには、歪曲収差量を電気的に補正しても良い。
【００６６】
以上、本発明の好ましい実施形態について説明したが、本発明はこれらの実施形態に限定されず、その要旨の範囲内で種々の変形及び変更が可能である。
【００６７】
図９は実施例１〜４のズームレンズを撮影光学系として用いた撮像装置（テレビカメラシステム）の要部概略図である。図９において１０１は実施例１〜４のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。１１４、１１５は各々各レンズ群を光軸方向に駆動するヘリコイドやカム等の駆動機構である。
【００６８】
１１６、１１７は駆動機構１１４、１１５及び開口絞り（不図示）を電動駆動するモータ（駆動手段）である。図９は不図示であるが各レンズ群の光軸上の位置や、開口絞りの絞り径を検出する為のエンコーダやポテンションメータ、あるいはフォトセンサ等の検出器が設けられている。１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【００６９】
また１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００７０】
以下に本発明の実施例１〜４に対応する数値実施例１〜４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。最も像側の３つの面はガラスブロックの面である。
【００７１】
焦点距離、Ｆナンバー、画角（度）はそれぞれ無限遠物体に焦点を合わせたときを示している。ＢＦはバックフォーカスであり、最終面（ガラスブロック面）から像面までの距離で示している。非球面形状は光軸方向にＸ軸、光軸と垂直方向にＨ軸、光の進行方向を正、Ｒを近軸曲率半径、ｋを離心率、Ａ４、Ａ６、Ａ８、Ａ１０を各々非球面係数としたとき、  Ｘ＝（Ｈ2／Ｒ）／［１＋［１−（１＋Ｋ）（Ｈ／Ｒ）2］1/2］＋Ａ４Ｈ4＋Ａ６Ｈ6＋Ａ８Ｈ8＋Ａ１０Ｈ10
【００７２】
なる式で表している。また例えば「ｅ−Ｚ」の表示は「１０−Ｚ」を意味する。そして、前述の各条件式と数値実施例における諸数値との関係を表１に示す。  
【００７３】
［数値実施例１］
単位 mm
面データ
面番号       r        d      nd         νd       有効径
1        196.578    3.80   1.77250    49.6      158.29
2         94.834   24.61                        137.21
3        438.686    3.30   1.71300    53.9      136.73
4        186.532   24.38                        131.05
5       -232.900    3.20   1.69680    55.5      129.54
6        387.879    0.20                        129.26
7        218.577   15.33   1.84666    23.8      130.27
8      -1457.607    4.72                        129.58
9       -500.097    8.63   1.49700    81.5      128.76
10       -206.143    0.15                        128.31
11      -1725.295   22.35   1.51633    64.1      122.24
12       -109.692    3.60   1.69895    30.1      121.23
13       -225.917   20.26                        122.96
14        212.315    3.80   1.74950    35.3      118.38
15        103.489   21.72   1.49700    81.5      115.66
16      -2744.339    0.20                        115.58
17        180.844   19.12   1.43387    95.1      115.04
18       -242.755    0.20                        114.35
19        130.297    8.56   1.43387    95.1      104.00
20        300.000  (可変)                        102.70
21         88.254    1.80   1.77250    49.6       45.09
22         34.999    9.76                         39.55
23        -57.822    1.80   1.59240    68.3       39.38
24         81.946    0.05   1.61937    19.2       37.74
25         50.827    8.82                         37.42
26        -50.321    2.95   1.59240    68.3       37.62
27       -281.311    2.96                         39.82
28        241.016    6.17   1.76182    26.6       42.33
29        -68.202  (可変)                         42.77
30(絞り)    ∞       2.75                         36.36
31*       191.537    2.83   1.49700    81.5       37.32
32      -1287.606    0.25                         37.58
33         43.567    3.60   1.76182    26.6       38.55
34         60.603    0.65                         37.91
35         69.534    2.00   1.77250    49.6       37.91
36         44.450  (可変)                         37.03
37        487.924    6.05   1.61800    63.3       48.69
38        -92.839    0.20                         48.92
39       1125.343    2.00   1.78590    44.2       48.31
40         48.424   11.25   1.49700    81.5       47.47
41       -114.983  (可変)                         47.73
42        449.990   10.15   1.49700    81.5       47.40
43        -42.235    1.80   1.77250    49.6       47.22
44*      -479.326    0.20                         48.47
45         74.188   12.40   1.43387    95.1       49.75
46        -54.538  (可変)                         49.74
47          ∞      50.00   1.69680    55.5       50.00
48          ∞      19.00   1.51633    64.2       50.00
49          ∞      16.56                         50.00
像面        ∞   
【００７４】
非球面データ
第31面
K = 0.00000e+000  A 4=-9.57947e-007  A 6=-6.53262e-011  A 8=-2.00710e-013  
第44面
K = 0.00000e+000  A 4= 4.28288e-007  A 6= 2.77206e-010  A 8=-5.06765e-015 
A10= 1.71241e-016  
各種データ
ズーム比     11.54 
広角     中間     望遠
焦点距離      10.21    56.31   117.88  
Fナンバー      1.87     1.79     1.78  
半画角（度）  38.07     8.09     3.88  
像高           8.00     8.00     8.00  
レンズ全長    555.0    555.0    555.0
BF            16.56    16.56    16.56
d20            1.30    97.55   121.61  
d29          140.68    25.82     3.81  
d36           45.00    51.27    59.53  
d41            0.55     1.90     0.55  
d46            3.37    14.33     5.41  
入射瞳位置   105.49   270.10   431.95  
射出瞳位置   495.49   273.55   189.06  
前側主点位置 115.92   338.75   630.39  
後側主点位置   6.34   -39.77  -101.31  
ズームレンズ群データ
群  始面    焦点距離  レンズ構成長  前側主点位置  後側主点位置
1    1     116.22       188.13       125.10         57.13
2   21     -39.17        34.31         0.18        -35.52
3   30     354.31        12.08       -19.28        -26.24
4   37     145.35        19.50         7.55         -5.28
5   42     101.20        24.56        14.90         -1.95
GB   47       ∞          69.00        21.00        -21.00
単レンズデータ
レンズ  始面  焦点距離
1       1   -241.11
2       3   -457.65
3       5   -208.40
4       7    225.44
5       9    698.84
6      11    225.81
7      12   -309.00
8      14   -273.47
9      15    201.17
10      17    242.18
11      19    522.91
12      21    -76.20
13      23    -56.95
14      24   -216.23
15      26   -103.94
16      28     70.39
17      31    335.70
18      33    186.38
19      35   -165.24
20      37    126.71
21      39    -64.44
22      40     70.16
23      42     78.22
24      43    -60.06
25      45     74.62
26      47      0.00
27      48      0.00
【００７５】
［数値実施例２］
単位 mm
面データ
面番号       r        d      nd         νd       有効径
1        416.261    3.80   1.77250    49.6      160.00
2        134.491   25.46                        143.16
3       -604.422    3.30   1.71300    53.9      142.65
4        329.155   19.17                        137.52
5       -275.227    3.20   1.62588    35.7      136.56
6        174.858    0.20                        137.21
7        175.650   21.24   1.84666    23.8      137.31
8       -490.525    2.34                        137.12
9      -4001.058   15.55   1.49700    81.5      134.48
10       -171.876    0.20                        133.83
11        275.860   23.12   1.49700    81.5      114.67
12       -137.665    3.60   1.75520    27.5      110.36
13      -1443.944   20.22                        107.32
14      -3040.709    9.72   1.49700    81.5      103.22
15       -201.805    0.20                        103.18
16        182.049    8.15   1.43387    95.1       99.22
17        736.717    0.20                         98.17
18        114.757    8.65   1.43387    95.1       94.33
19        300.000  (可変)                         93.24
20         93.273    1.80   1.77250    49.6       46.72
21*        31.289   12.29                         39.99
22        -42.710    1.80   1.59240    68.3       39.55
23         92.388    0.05   1.61937    19.2       38.91
24         56.590    9.20                         38.80
25        -49.131    2.95   1.59240    68.3       39.36
26        -78.437    0.00                         41.63
27        189.335    6.36   1.76182    26.6       43.88
28        -76.386  (可変)                         44.31
29(絞り)    ∞       1.70                         37.41
30*        92.452    3.65   1.49700    81.5       38.39
31        995.144    1.00                         38.50
32        271.139    3.86   1.76182    26.6       38.68
33       -183.244    0.10                         38.72
34       -713.528    2.00   1.77250    49.6       38.60
35        106.458  (可変)                         38.40
36        409.851    6.84   1.61800    63.3       47.73
37        -75.559    0.20                         47.89
38       -378.018    2.00   1.78590    44.2       46.84
39         51.614   10.33   1.49700    81.5       45.98
40       -126.505  (可変)                         46.24
41       -316.280    9.37   1.49700    81.5       46.39
42        -37.987    1.80   1.77250    49.6       46.53
43*      -194.516    0.20                         49.04
44         79.083   14.53   1.43387    95.1       51.91
45        -46.420  (可変)                         52.21
46          ∞      50.00   1.69680    55.5       50.00
47          ∞      19.00   1.51633    64.2       50.00
48          ∞      18.92                         50.00
像面        ∞   
【００７６】
非球面データ
第21面
K =-1.20785e+000  A 4= 3.77465e-006  A 6= 1.88124e-009  A 8=-1.20334e-012 
A10= 1.89627e-016  
第30面
K = 0.00000e+000  A 4=-1.23178e-006  A 6=-5.73316e-011  A 8=-1.86650e-013  
第43面
K = 0.00000e+000  A 4= 1.10743e-006  A 6= 5.89070e-010  A 8= 9.57550e-014 
A10= 2.88773e-016  
各種データ
ズーム比     11.54 
広角     中間     望遠
焦点距離      10.07    63.78   116.22  
Fナンバー      1.87     1.87     1.85  
半画角（度）  38.47     7.15     3.94    
像高           8.00     8.00     8.00  
レンズ全長    555.0    555.0    555.0
BF            18.92    18.92    18.92  
d19            1.30    98.06   120.94  
d28          157.62    14.43     3.81  
d35           45.00    54.46    56.77  
d40            1.84    22.68    16.25  
d45            1.00    17.13     8.97  
入射瞳位置   101.93   266.50   420.59  
射出瞳位置   495.60   181.82   189.12  
前側主点位置 112.21   355.24   616.18  
後側主点位置   8.85   -44.87   -97.29  
ズームレンズ群データ
群  始面    焦点距離  レンズ構成長  前側主点位置  後側主点位置
1    1     125.08       168.31       118.10         51.87
2   20     -38.62        34.45        -0.20        -36.10
3   29     270.10        12.31        -4.73        -12.93
4   36     170.17        19.38         7.40         -5.29
5   41      97.97        25.89        18.38          1.20
GB   46       ∞          69.00        21.00        -21.00
単レンズデータ
レンズ  始面  焦点距離
1       1   -258.72
2       3   -298.45
3       5   -170.37
4       7    155.03
5       9    360.86
6      11    188.27
7      12   -201.74
8      14    434.42
9      16    554.84
10      18    422.38
11      20    -61.73
12      22    -49.06
13      23   -235.93
14      25   -230.60
15      27     72.19
16      30    204.80
17      32    144.06
18      34   -119.79
19      36    103.79
20      38    -57.67
21      39     75.21
22      41     85.91
23      42    -61.42
24      44     69.86
25      46      0.00
26      47      0.00
【００７７】
［数値実施例３］
単位 mm
面データ
面番号       r        d      nd         νd       有効径
1        361.696    3.80   1.77250    49.6      159.55
2        133.554   25.16                        143.25
3       -686.009    3.30   1.71300    53.9      142.72
4        257.032   20.25                        136.59
5       -302.504    3.20   1.62588    35.7      135.74
6        157.527    0.20                        136.40
7        159.231   25.39   1.84666    23.8      136.42
8       -461.321    5.00                        135.98
9       1924.191   17.34   1.49700    81.5      131.14
10       -192.662    0.50                        129.60
11        304.320   24.20   1.49700    81.5      114.49
12       -136.783    3.60   1.75520    27.5      112.23
13      -9381.687   21.93                        110.07
14       4350.218   11.20   1.49700    81.5      106.41
15       -194.249    0.20                        106.39
16        172.595    8.70   1.43387    95.1      101.72
17        593.983    0.20                        100.46
18        115.276    9.89   1.43387    95.1       96.17
19        300.000  (可変)                         94.23
20        116.180    1.80   1.77250    49.6       44.85
21*        30.080   11.75                         38.29
22        -41.394    1.80   1.59240    68.3       37.93
23        134.631    0.05   1.61937    19.2       37.93
24         68.092    8.28                         37.92
25        -53.424    2.95   1.59240    68.3       38.64
26        -77.843    0.00                         40.64
27        207.766    6.73   1.76182    26.6       42.89
28        -72.915  (可変)                         43.45
29(絞り)    ∞       1.70                         36.22
30*        86.033    3.57   1.49700    81.5       36.79
31        957.032    1.02                         36.75
32        257.468    3.81   1.76182    26.6       36.72
33       -168.024    0.10                         36.61
34       -255.067    2.00   1.77250    49.6       36.49
35        108.090  (可変)                         36.18
36        396.052    6.44   1.61800    63.3       45.71
37        -78.716    0.20                         46.02
38        343.311    2.00   1.78590    44.2       45.40
39         43.519   10.41   1.49700    81.5       44.43
40       -161.270  (可変)                         44.63
41       -208.053    8.56   1.49700    81.5       44.33
42        -37.341    1.80   1.77250    49.6       44.49
43*      -232.948    0.20                         46.81
44         74.674   13.34   1.43387    95.1       49.24
45        -46.845  (可変)                         49.44
46          ∞      50.00   1.69680    55.5       50.00
47          ∞      19.00   1.51633    64.2       50.00
48          ∞      18.93                         50.00
像面        ∞   
【００７８】
非球面データ
第21面
K = 6.70668e-002  A 4=-1.67423e-006  A 6= 6.77529e-011  A 8=-5.26423e-012 
A10= 3.45588e-015  
第30面
K = 0.00000e+000  A 4=-1.23692e-006  A 6=-9.05649e-011  A 8=-2.04338e-013  
第43面
K = 0.00000e+000  A 4= 9.51534e-007  A 6= 5.18087e-010  A 8= 1.65307e-013 
A10= 2.70470e-016  
各種データ
ズーム比     11.54 
広角     中間     望遠
焦点距離      10.21    62.41   117.80  
Fナンバー      1.87     1.90     1.82  
半画角（度）  38.09     7.30     3.89  
像高           8.00     8.00     8.00  
レンズ全長    555.0    555.0    555.0  
BF            18.93    18.93    18.93  
d19            1.30    97.61   120.22  
d28          144.75    12.46     3.81  
d35           45.30    58.99    59.99  
d40            2.18    12.79     7.41  
d45            1.00    12.68     3.08  
入射瞳位置   104.72   267.99   436.67  
射出瞳位置   495.52   180.08   189.08  
前側主点位置 115.14   354.58   636.03  
後側主点位置   8.71   -43.50   -98.86  
ズームレンズ群データ
群  始面    焦点距離  レンズ構成長  前側主点位置  後側主点位置
1    1     118.69       184.07       122.18         52.26
2   20     -39.35        33.36        -1.87        -37.22
3   29     354.20        12.19        -9.41        -17.31
4   36     124.35        19.05         5.40         -7.07
5   41     110.86        23.89        18.83          3.30
GB   46       ∞          69.00        21.00        -21.00
単レンズデータ
レンズ  始面  焦点距離
1       1   -276.10
2       3   -261.86
3       5   -165.06
4       7    142.48
5       9    353.33
6      11    193.40
7      12   -183.83
8      14    374.44
9      16    557.26
10      18    424.61
11      20    -53.03
12      22    -53.24
13      23   -222.50
14      25   -301.01
15      27     71.59
16      30    189.95
17      32    133.98
18      34    -98.04
19      36    106.81
20      38    -63.60
21      39     70.14
22      41     90.07
23      42    -57.80
24      44     68.63
25      46      0.00
26      47      0.00
【００７９】
数値実施例４
単位 mm
面データ
面番号       r        d      nd         νd       有効径
1        352.242    3.80   1.69680    55.5      165.11
2        104.041   24.36                        141.26
3        637.609    3.30   1.69680    55.5      140.85
4        241.306   21.69                        136.40
5       -270.969    3.20   1.69680    55.5      135.05
6        424.805    0.20                        134.75
7        220.267   14.95   1.72825    28.5      135.84
8      -1297.462    2.34                        135.45
9      -2221.241   13.08   1.43387    95.1      134.33
10       -199.457    0.10                        134.29
11      -3132.723   21.50   1.48749    70.2      132.60
12       -122.985    3.60   1.68893    31.1      132.34
13       -248.191    9.69                        133.40
14        185.080    3.80   1.72342    38.0      125.55
15         97.997   22.25   1.49700    81.6      120.60
16        929.628    0.20                        120.26
17        187.599   19.28   1.43387    95.1      119.60
18       -271.215    0.20                        118.85
19        121.483    8.92   1.59240    68.3      107.24
20        247.406  (可変)                        105.65
21         63.329    1.50   1.81600    46.6       46.86
22         35.592    9.44                         41.76
23        -90.312    1.40   1.81600    46.6       41.42
24         46.868    8.03                         38.64
25        -87.428    9.82   1.61340    44.3       38.79
26        -25.142    1.40   1.61800    63.4       39.37
27        872.297    0.20                         41.98
28        105.329    6.82   1.64769    33.8       42.87
29        -83.603  (可変)                         43.01
30        -47.573    1.70   1.78800    47.4       31.63
31        125.887    3.54   1.84666    23.9       33.78
32       -209.511  (可変)                         34.48
33(絞り)    ∞       1.50                         37.19
34       -596.974    5.46   1.66672    48.3       38.02
35        -58.235    0.20                         39.01
36        133.032    5.19   1.48749    70.2       40.32
37       -136.840    2.49                         40.47
38        -69.613    4.40   1.61405    55.0       40.43
39        -48.950    1.80   1.80400    46.6       41.02
40       -109.606  (可変)                         42.20
41        265.255    7.53   1.49700    81.5       51.82
42        -87.563    0.20                         51.97
43       -356.110    2.00   1.83400    37.2       51.29
44         56.431   11.07   1.49700    81.5       50.91
45       -151.517    2.10                         51.43
46        232.953    7.82   1.52249    59.8       52.06
47        -87.749    1.80   1.80100    35.0       52.08
48       -223.497    0.20                         52.51
49         56.707    8.88   1.49700    81.5       52.49
50       -768.316  (可変)                         51.83
51          ∞      50.00   1.69680    55.5       50.00
52          ∞      19.00   1.51633    64.2       50.00
53          ∞      12.34                         50.00
像面        ∞   
【００８０】
各種データ
ズーム比     11.54 
広角     中間     望遠
焦点距離       9.94    50.77   114.74  
Fナンバー      1.84     1.81     1.89  
半画角（度）  38.83     8.95     3.99  
像高           8.00     8.00     8.00  
レンズ全長    542.8    542.8    542.8  
BF            12.34    12.34    12.34  
d20            1.30    89.63   111.72  
d29          112.55    12.41     2.81  
d32           12.25    13.60     1.58  
d40           44.83    50.92    48.94  
d50            7.60    11.95    13.44  
入射瞳位置   102.27   271.59   442.84  
射出瞳位置   576.99   343.85   393.29  
前側主点位置 112.39   330.13   592.14  
後側主点位置   2.40   -38.43  -102.40  
ズームレンズ群データ
群  始面    焦点距離  レンズ構成長  前側主点位置  後側主点位置
1    1     113.41       176.45       115.37         48.85
2   21     -40.91        38.61         0.05        -37.55
3   30     -84.31         5.24        -1.01         -3.93
4   33      80.47        21.04         4.94         -9.86
5   41      70.99        41.61        19.95         -8.82
GB   51       ∞          69.00        21.00        -21.00
単レンズデータ
レンズ  始面  焦点距離
1       1   -213.24
2       3   -559.08
3       5   -236.98
4       7    259.64
5       9    504.08
6      11    261.98
7      12   -358.06
8      14   -293.28
9      15    218.47
10      17    258.88
11      19    392.57
12      21   -102.07
13      23    -37.64
14      25     54.28
15      26    -39.52
16      28     73.00
17      30    -43.63
18      31     93.33
19      34     96.40
20      36    139.25
21      38    248.43
22      39   -111.49
23      41    133.40
24      43    -58.28
25      44     84.22
26      46    123.02
27      47   -181.43
28      49    106.64
29      51      0.00
30      52      0.00
【００８１】
【表１】
2015075523.tif 000003
【００８２】
＊条件式（４）の数値は、全ズーム範囲における最小値と最大値を示している。
【符号の説明】
【００８３】
Ｌ１  第１レンズ群      Ｌ１ａ  第１部分群      Ｌ１ｂ  第２部分群
Ｌ１ｃ  第３部分群      Ｌ２  第２レンズ群      Ｌ３  第３レンズ群
Ｌ４  第４レンズ群      Ｌ５  第５レンズ群
【図１】
2015075523.tif 000004
【図２】
2015075523.tif 000005
【図３】
2015075523.tif 000006
【図４】
2015075523.tif 000007
【図５】
2015075523.tif 000008
【図６】
2015075523.tif 000009
【図７】
2015075523.tif 000010
【図８】
2015075523.tif 000011
【図９】
2015075523.tif 000012